(57)【要約】発明は、通信ネットワーク（３０３）における通信のための通信システム（３００）に関し、通信ネットワーク（３０３）は第１のサブネットワーク（３０７）及び第２のサブネットワーク（３１１）を有する。通信システムは、第１のサブネットワーク（３０７）に割り当てられ、通信端末（３０１）のアイデンティティ（３０２）を受信し、第１のサブネットワーク（３０７）を介した通信についてのアイデンティティ（３０２）に基づいて通信端末（３０１）を識別するように構成された第１の識別エンティティ（３０９）、第２のサブネットワーク（３１１）に割り当てられ、通信端末（３０１）のアイデンティティ（３０２）を受信し、第２のサブネットワーク（３１１）を介した通信についてのアイデンティティ（３０２）に基づいて通信端末（３０１）を識別するように構成された第２の識別エンティティ（３１３）及び特定のサブネットワーク（３０７、３１１）を介した通信についての通信端末（３０１）を認証するように構成された管理エンティティ（３１９）を有する。【選択図】  図３
2019506053.tif 000002
【特許請求の範囲】
【請求項１】
通信ネットワーク（３０３）における通信のための通信システム（３００）であって、前記通信ネットワーク（３０３）が第１のサブネットワーク（３０７）及び第２のサブネットワーク（３１１）を有し、
前記第１のサブネットワーク（３０７）に割り当てられ、通信端末（３０１）のアイデンティティ（３０２）を受信し、前記第１のサブネットワーク（３０７）を介した通信についての前記アイデンティティ（２０３）に基づいて前記通信端末（３０１）を識別するように構成された第１の識別エンティティ（３０９）、
前記第２のサブネットワーク（３１１）に割り当てられ、前記通信端末（３０１）の前記アイデンティティ（３０２）を受信し、前記第２のサブネットワーク（３１１）を介した通信についての前記アイデンティティ（３０２）に基づいて前記通信端末（３０１）を識別するように構成された第２の識別エンティティ（３１３）、及び
前記特定のサブネットワーク（３０７、３１１）を介した通信についての前記通信端末（３０１）を認証するように構成された管理エンティティ（３１９）
を有する通信システム（３００）。
【請求項２】
前記特定の識別エンティティ（３０９、３１３）が前記アイデンティティ（３０２）を前記管理エンティティ（３１９）に中継するように構成され、前記管理エンティティ（３１９）が前記中継されたアイデンティティ（３０２）に基づいて前記通信端末（３０１）を認証するように構成された、請求項１に記載の通信システム（３００）。
【請求項３】
前記管理エンティティ（３１９）が、通信端末（３０１）に対する前記通信ネットワーク（３０３）のサブネットワーク（３０７、３１１、３１５）の割当て（３２１）を参照して、特に、通信端末（３０１）のアイデンティティ（３０２）へのサブネットワーク（３０７、３１１、３１５）の割当て（３２１）を参照して前記通信端末（３０１）を認証するように構成された、上記請求項の一項に記載の通信システム（３００）。
【請求項４】
前記管理エンティティ（３１９）は、前記第１のサブネットワーク（３０７）が前記通信端末（３０１）の前記アイデンティティに割り当てられる場合には前記第１のサブネットワーク（３０７）を介した通信について前記通信端末（３０１）を認証し、前記第２のサブネットワーク（３１１）が前記通信端末（３０１）の前記アイデンティティ（３０２）に割り当てられる場合には前記第２のサブネットワーク（３１１）を介した通信について前記通信端末（３０１）を認証するように構成された、上記請求項の一項に記載の通信システム（３００）。
【請求項５】
前記管理エンティティ（３１９）は、前記通信端末（３０１）が前記第２のサブネットワーク（３１１）を介した通信について認証される場合には前記第２の識別エンティティ（３１３）のサブネットワーク識別子（３１４）を前記第１の識別エンティティ（３０９）に中継し、前記通信端末（３０１）が前記第１のサブネットワーク（３０７）を介した通信について認証される場合には前記第１の識別エンティティ（３０９）のサブネットワーク識別子（３１２）を前記第２の識別エンティティ（３１３）に中継するように構成された、上記請求項の一項に記載の通信システム（３００）。
【請求項６】
前記第１の識別エンティティ（３０９）が、前記管理エンティティ（３１９）によって中継された前記第２のサブネットワーク（３１１）の前記サブネットワーク識別子（３１４）を前記通信端末（３０１）又は前記第２の識別エンティティ（３１３）に中継するように構成され、又は前記第２の識別エンティティ（３１３）が、前記管理エンティティ（３１９）から中継された前記第１のサブネットワーク（３０７）の前記サブネットワーク識別子（３１２）を前記通信端末（３０１）又は前記第１の識別エンティティ（３０９）に中継するように構成された、請求項５に記載の通信システム（３００）。
【請求項７】
サブネットワーク識別子（３１２、３１４）が各サブネットワーク（３０７、３１１）（ルックアップテーブル）に割り当てられ、前記管理エンティティ（３１９）が、前記サブネットワーク識別子（３１２、３１４）への以下の割当て：前記通信端末（３０１）の前記識別（３０２）、特に前記サブネットワーク識別子（３１２、３１４）に対するＩＭＳＩ若しくはＩＭＥＩ又はｅＩＤのような前記通信端末（３０１）のハードウェア識別子の割当て、及び／又は前記通信端末（３０１）に対する通信サービスの割当て、及び／又は前記通信端末（３０１）に対するソフトウェアアプリケーションの割当て、及び／又は２つの前記サブネットワーク（３０７、３１１）のうちの１つに対する特定の前記通信デバイス（３０１）のオペレーティングシステム、の少なくとも１つに基づいて前記通信端末（３０１）を割り当てるように構成された、上記請求項の一項に記載の通信システム（３００）。
【請求項８】
前記通信ネットワーク（３０３）が第５世代（５Ｇ）又は更なる世代のネットワークであり、前記第１のサブネットワーク（３０７）及び前記第２のサブネットワーク（３１１）が前記通信ネットワーク（３０３）のスライスである、上記請求項の一項に記載の通信システム（３００）。
【請求項９】
特定の前記識別エンティティ（３０３、３１３）が前記通信端末（３０１）からサブネットワーク識別子（３０６）を受信し、受信された前記サブネットワーク識別子（３０６）に割り当てられ又は受信された前記サブネットワーク識別子（３０６）によって示されるサブネットワークに対応する前記通信ネットワーク（３０３）の当該サブネットワーク（３０７、３１１）を前記通信端末（３０１）に割り当てるように構成された、上記請求項の一項に記載の通信システム（３００）。
【請求項１０】
前記第１の識別エンティティ（３０９）は、前記通信端末（３０１）が前記第１のサブネットワーク（３０７）を介した通信について認証される場合には前記第１のサブネットワーク（３０７）を介した前記通信端末（３０１）の通信を確立するように構成され、前記第２の識別エンティティ（３１３）は、前記通信端末（３０１）が前記第２のサブネットワーク（３１１）を介した通信について認証される場合には前記第２のサブネットワーク（３１１）を介した前記通信端末（３０１）の通信を確立するように構成された、上記請求項の一項に記載の通信システム（３００）。
【請求項１１】
特定の前記識別エンティティ（３０９、３１３）が、前記通信について前記通信端末（３０１）を認証し、前記通信についての通信ベアラを確立又は修正し、前記特定のサブネットワーク（３０７、３１１）のネットワークエンティティに変化がある場合に通信ベアラを追跡し、前記通信ネットワーク（３０３）の同じサブネットワークの更なる識別エンティティに前記通信を中継するように構成された、上記請求項の一項に記載の通信システム（３００）。
【請求項１２】
前記特定の識別エンティティ（３０９、３１３）が、前記通信端末（３０１）の位置を管理するように構成された、上記請求項の一項に記載の通信システム（３００）。
【請求項１３】
前記第１の識別エンティティ（３０９）及び前記第２の識別エンティティ（３１３）が通信可能に接続される基地局を有し、前記基地局が、前記識別（３０２）を有する前記通信端末（３０１）から接続要求を受信し、前記通信端末（３０１）を識別する目的で前記識別（３０２）を前記特定の識別エンティティ（３０９、３１３）に中継するように構成された、上記請求項の一項に記載の通信システム（３００）。
【請求項１４】
前記第１のサブネットワーク（３０７）がデフォルトのサブネットワークであり、前記基地局が、前記通信端末（３０１）の前記接続要求を受信し、サブネットワーク（３０７、３１１）を識別するサブネットワーク識別子（３０６）を前記通信要求が有さない場合に前記接続要求を前記第１の識別エンティティ（３０９）に転送するように構成された、請求項１３に記載の通信システム（３００）。
【発明の詳細な説明】
【技術分野】
【０００１】
本発明は、幾つかのサブネットワークを有する通信ネットワーク、特に、複数のスライスを有する５Ｇ通信ネットワークにおける通信のための通信システムに関する。
【背景技術】
【０００２】
第５世代モバイル技術（５Ｇ）は、概ね２０２０年以降から開始する将来の通信ネットワークの要件及び技術課題に関する。トラフィックの著しい成長及び複数レベルにおける相互リンクによって特徴付けられる完全にモバイルでかつ接続された社会がそれにより取り組まれる。  
【０００３】
５Ｇでは、例えば、モノのインターネット（ＩｏＴ）などの新たなアプリケーションのために、及びより短いランタイムなどの特殊な能力のために、より高い周波数を用いる要求を充足する新たな無線インターフェースが必要とされ、それは４Ｇ通信ネットワークが配信できるものを超える。この場合、５Ｇは、高度の集中を可能とする設計を有する全てのネットワーク態様を含むエンドトゥエンドシステムとみなされる。５Ｇは、今日の固定ネットワークアクセス技術及びこれから開発される他の多数のアクセス技術を含む、現在のアクセスメカニズム及びそれらの可能な発展型を充分に活用することになる。
【０００４】
５Ｇは、大きく異なる環境において、すなわち、幾つかのタイプのアクセス技術、マルチレイヤネットワーク、種々のタイプの通信デバイス及びユーザインタラクションなどで動作することになる。相容れない要件、例えば、フェールセーフ、ロバスト通信、低データレートでの通信又は過密エリアにおけるブロードバンド通信の広範なアプリケーションが、最適にサポートされなければならない。そのような環境において、時間及び空間にわたってシームレスでかつ一貫性のあるユーザ体験を実現するために、５Ｇに対する基本的要望がある。５Ｇ通信ネットワークのオペレータについては、様々なアプリケーションを同時にサポートすることができるために、最適かつ動的な態様でそれぞれの要件に使用されるリソースを適合させる必要がある。
【０００５】
したがって、５Ｇでは、まず、通信の効率を増加させ、特に、より高いスループット、低い遅延、特に高い信頼性、非常に高い接続密度及びより大きな範囲の移動性を提供する一方で、リソースの最低限の可能性の使用とともに増加及びカスタマイズされた構成を与える動作柔軟性も増加させる必要がある。この増加した効率は、大きく異なる環境を制御する能力並びに信頼、アイデンティティ及びプライバシーを保護する能力とともに期待される。
【０００６】
本発明の課題は、上記の要件に関して、特に５Ｇにおいて、通信の柔軟性及び信頼性を増加させるコンセプトを提供することである。
【０００７】
この課題は、独立請求項の構成によって達成される。有利な更なる展開は、従属請求項の事項である。
【０００８】
以下に提示される方法及びシステムは、様々なタイプとなり得る。個々の記載要素は、ハードウェア又はソフトウェア構成要素、例えば、種々の技術によって生産され得る電子部品、例えば、半導体チップ、ＡＳＩＣ、マイクロプロセッサ、デジタル信号プロセッサ、集積電気回路、電気光回路及び／又は受動部品によって実現され得る。
【０００９】
以下に提示されるデバイス、システム及び方法は、通信ネットワークを介して情報を送信するのに適する。通信ネットワーク又は通信ネットという用語は、ここでは、信号の送信が発生する技術インフラを示す。通信ネットは、基本的に、固定位置デバイスとモバイルネットワーク又は固定ネットワークのプラットフォームとの間の信号の送信及び交換が発生する交換ネットワーク、その他ネットワークアクセスデバイスと通信端末との間の信号の送信が発生するアクセスネットワークを備える。通信ネットワークは、この場合、モバイルネットワークの構成要素及び固定ネットワークの構成要素の双方を備え得る。モバイルネットワークでは、アクセスネットワークをエアインターフェースともいい、例えば携帯電話若しくはスマートフォンなどの通信端末又は無線アダプタを有するモバイルデバイスとの通信を確立するモバイル無線アンテナを有する基地局（ＮｏｄｅＢ、ｅＮｏｄｅＢ、無線セル）を備える。固定ネットワークでは、アクセスネットワークは、例えば、複数の加入者の配線又はケーブルで接続された通信端末を接続するためのＤＳＬＡＭ（デジタル加入者線アクセスマルチプレクサ）を備える。通信は、例えば、スイッチネットワークを介して他のネットワークオペレータ、例えば、他のネットワークの他のネットワークに中継され得る。
【００１０】
以下に提示されるデバイス、システム及び方法は、通信ネットワーク、特に以下に提示される５Ｇシステムアーキテクチャによる通信ネットワークにおける通信を増加させるように提供される。図１は、そのような５Ｇシステムアーキテクチャ１００の概略図を示す。５Ｇシステムアーキテクチャ１００は、管理及び組織化プレーン１０６を介して管理されるインフラ及びリソースレイヤ１０５、活性化レイヤ１０４及びアプリケーションレイヤ１０３を備えるマルチレイヤ通信構造に異なるアクセス技術１０２を介して接続される５Ｇ通信端末１０１を有する領域を含む。
【００１１】
インフラ及びリソースレイヤ１０５は、アクセスノード、（処理及び記憶ノードからなる）クラウドノード、携帯電話、可搬デバイス、ＣＰＥ、機械通信モジュール及び他のネットワークノードなどの５Ｇデバイス並びに関連のリンクを有する固定及びモバイル構成要素の集中的なネットワーク構造（「固定−モバイル集中」）の物理リソースを含む。５Ｇデバイスは、複数の構成可能な能力を含み、リレー、例えばハブとして作用し、又は特定のコンテキストに応じてコンピュータ／記憶リソースとして動作し得る。これらのリソースは、より上位のレイヤ１０４、１０３及び管理及び組織化プレーン１０６に対応のＡＰＩ（アプリケーションプログラムインターフェース）を介して利用可能となる。性能及び構成の監視は、そのようなＡＰＩの内在的部分である。
【００１２】
活性化レイヤ１０４は、モジュラーアーキテクチャの構築ブロックの形態において集中ネットワーク内で必要となる機能のライブラリを備える。これらは、記憶位置から所望の位置に取得され得るソフトウェアモジュール及び無線アクセスなどのネットワークの特定の部分についての構成パラメータのセットによって実現される機能を含む。これらの構成及び能力は、適切なＡＰＩを用いることによって管理及び組織化プレーン１０６によって要求に応じて利用可能となる。特定の構成に対して、複数の変形例、例えば、異なる性能又は特性を有する同じ機能の様々な実施例が存在してもよい。提供される様々な程度の性能及び能力が、今日のネットワークにおいて可能なものよりも実質的に多くのネットワーク機能を区別するのに、例えば、具体的必要性に応じて遊動移動性、車両移動性又は空輸移動性を移動性機能として提供するのに使用され得る。
【００１３】
アプリケーションレイヤ１０３は、５Ｇネットワークを使用するネットワークオペレータ、会社、頂点のオペレータ又は第三者の特定のアプリケーション及びサービスを含む。管理及び組織化プレーン１０６に対するインターフェースは、例えば、アプリケーションについての特定の、すなわち専用のネットワークスライス（スライスネットワーク）を構成し、又はアプリケーションを既存のネットワークスライスに割り当てることを可能とする。
【００１４】
管理及び組織化プレーン１０６は、必要なアプリケーションケース（ユースケース、またビジネスモデル）を実際のネットワーク機能及びスライスに変換するための接点となる。それは、所与のアプリケーションシナリオに対するネットワークスライスを規定し、関連のモジュラーネットワーク機能を結合し、関連の性能構成を割り当て、インフラ及びリソースレイヤ１０５のリソースに全てをマッピングする。管理及び組織化プレーン１０６はまた、これらの機能の容量及びそれらの地理的分布の拡縮を管理する。あるアプリケーションでは、それは、ＡＰＩを用いるそれら自身のネットワークスライスを第三者が作成及び管理することを可能とする能力を有していてもよい。管理及び組織化プレーン１０６の多数のタスクに起因して、これはモノリシックな機能ブロックではなく、ＮＦＡ（ネットワーク機能の可視化）、ＳＤＮ（ソフトウェア定義によるネットワーク化）又はＳＯＮ（自己組織化ネットワーク）などの様々なネットワークドメインにおいて実現されてきた進化を統合するモジュラー機能の集合である。管理及び組織化プレーン１０６は、サービス合成及び配信の全ての態様を最適化するようにデータ補助によるインテリジェンスを利用する。
【００１５】
ここに提示するデバイス、システム及び方法は、以下に説明するように、通信ネットワーク、特に、複数のネットワークスライス（スライスネットワーク）を有する５Ｇ通信ネットワークにおける通信を改善するのに提供される。図２は、複数のネットワークスライス（スライスネットワーク）を有する５Ｇ通信ネットワーク２００の概略図を示す。５Ｇ通信ネットワークインフラ２００は、インフラレイヤ１０５、活性化レイヤ１０４及びアプリケーションレイヤ１０３を備える。
【００１６】
インフラ及びリソースレイヤ１０５は、ネットワークオペレータ、すなわち、サイト、ケーブル、ネットワークノードなどに関連付けられた物理的資産の全てを含む。このレイヤ１０５は、全てのネットワークスライスに対する基礎を形成する。これは、多過ぎる特化された物理ユニットなしに可能な限り一般的に構成される。インフラ及びリソースレイヤ１０５は上位レイヤとの関係でいずれの種類のユーザ固有の実施も隠すので、異なるスライスのための残余のシステムは最適に使用され得る。インフラ及びリソースレイヤ１０５の構成要素は、各動作に必要とされ、それによりリソースオブジェクトとしての上位レイヤにインフラ及びリソースレイヤ１０５として利用可能となるハードウェア及びソフトウェア又はファームウェアに基づく。例えば、インフラ及びリソースレイヤ１０５のオブジェクトは、仮想アクセスノード２３１、２３２、２３３、仮想ネットワークノード２３４、２３５、２３６、２３７及び仮想コンピュータノード２３８、２３９、２４０などの仮想機械、仮想リンク又は仮想接続及び仮想ネットワークを含む。用語「仮想的に」が示唆するように、インフラ及びリソースレイヤ１０５は、「サービスとしてのインフラ」２５１の形態において、すなわち、次の上位レイヤ１０４に対する抽象化され、仮想化された形態において利用可能なオブジェクトとなる。
【００１７】
活性化レイヤ１０４は、インフラ及びリソースレイヤ１０５の上に配される。それは、任意のタイプのネットワークスライスの作成を可能することでサービスとしてのプラットフォームを次の上位レイヤ１０３に提供するように、インフラ及びリソースレイヤ１０５のオブジェクトを用い、それらに追加の機能を（例えば非物理的な）各タイプのソフトウェアオブジェクト／ＶＮＦの形式で加える。
【００１８】
ソフトウェアオブジェクトは、任意の粒度において存在し、非常に小さな又は非常に大きな断片のネットワークスライスを備え得る。適切なレベルの抽象化においてネットワークスライスの生成を可能とするために、活性化レイヤ１０４において、統合オブジェクト２２４に変換されて次の上位プレーンのオブジェクトライブラリ２２５において利用可能となり得る合成オブジェクト２２３を形成するように様々な抽象化オブジェクト２２１が、他の抽象化オブジェクト及び仮想ネットワーク機能２２２と合成される。したがって、複雑性は、ネットワークスライスに隠され得る。例えば、ユーザは、モバイルブロードバンドスライスを作成し、個々のローカルアンテナカバレッジ、バックホールリンク及び特定の度合いのパラメータ化のような特定の構成を規定する必要なく、処理においてＫＰＩ（キー性能インジケータ）のみを規定することができる。オープン環境をサポートして要求に応じてネットワーク機能の追加又は削除を可能とすることは、例えば、スライスの機能が完全に予め規定されて概ね静的なソフトウェアモジュール及び追加可能なソフトウェアモジュールの双方を含み得るようにＳＦＣ（サービス機能チェーン化）を用いて又はソフトウェアを修正することによってネットワークスライスにおける機能及び接続性の動的再構成をサポートする、活性化レイヤ１０４の重要な能力である。
【００１９】
ここで、ネットワークスライスは、完全なネットワークを規定するオブジェクトのセットに基づくソフトウェア定義によるエンティティとみなされ得る。活性化レイヤ１０４は、ネットワークスライス及び対応の能力を提供してオブジェクトを扱うのに必要な全てのソフトウェアオブジェクトを含み得るため、このコンセプトの成功に鍵となる役割を担う。活性化レイヤ１０４は、ネットワーク作成環境によって補完されるネットワークオペレーティングシステムのタイプとみなされ得る。活性化レイヤ１０４の基本的なオブジェクトは、対応するレベルの抽象化を規定するものである。このように、ネットワークオペレータはそれらのネットワークスライスを設計する充分な範囲を有する一方で、プラットフォームオペレータはそれでも物理ノードを維持及び最適化することができる。例えば、ＮｏｄｅＢの追加又は交換などのようなルーティンタスクの実行は、ネットワークカスタマの介入なしにサポートされる。完全な電気通信ネットワークをモデル化する適切なオブジェクトを規定することは、ネットワークスライス環境を開発する際の活性化レイヤ１０４の基本的なタスクの１つである。
【００２０】
５Ｇスライスともいわれるネットワークスライスは、Ｃ−（コントロール）及びＵ−（ユーザデータ）レイヤの特定タイプの操作との特定タイプの接続の通信サービスをサポートする。５Ｇスライスは、特定のアプリケーションケース又はユースケースの利益についてともに合成される様々な５Ｇネットワーク機能及び特定の無線アクセス技術（ＲＡＴ）設定の集合からなる。したがって、５Ｇスライスは、クラウドノード上で稼働するソフトウェアモジュール、機能の柔軟な位置をサポートするトランスポートネットワークの特定の構成、特定の無線構成又は特定のアクセス技術さえも、その他５Ｇデバイスの構成などのネットワークの全てのドメインに及び得る。全てのスライスが同じ構成を含むわけではなく、今日ではモバイルネットワークには必須となりそうな幾つかの機能は、幾つかのスライスには存在すらしないことがある。５Ｇスライスの意図は、特定のユースケースに必要な機能のみを提供し、他の全ての不要な機能を回避することである。スライスのコンセプトにある柔軟性は、既存のアプリケーションを拡張することと新たなアプリケーションケースを作成することの双方について鍵となる。したがって、第三者デバイスは、そのようなカスタマイズされたサービスを提供するように適切なＡＰＩを介してスライシングの特定の態様を制御することを許可される。
【００２１】
アプリケーションレイヤ１０３は、作成された全てのネットワークスライス２１０ｂ、２１１ｂ、２１２ｂを含み、これらを様々なネットワークユーザ、例えば、様々なカスタマに「サービスとしてのネットワーク」として提供する。そのコンセプトは、カスタマのような様々なユーザに対する規定済みネットワークスライス２１０ｂ、２１１ｂ、２１２ｂの再使用を、例えば、新たなネットワークスライスインスタンス２１０ａ、２１１ａ、２１２ａとして可能とする。すなわち、例えば、自動車用途に関連するスライスネットワーク２１０ｂ、２１１ｂ、２１２ｂは、他の種々の工業的用途のアプリケーションにも使用され得る。ネットワークスライス機能全体が同じであっても、第１のユーザによって生成されるスライスインスタンス２１０ａ、２１１ａ、２１２ａは、例えば、第２のユーザによって作成されるスライスインスタンスから独立していることもある。
【発明の概要】
【００２２】
第１の態様によると、発明は、通信ネットワークにおける通信のための通信システムに関し、通信ネットワークは第１のサブネットワーク及び第２のサブネットワークを有する。通信ネットワークは、第１のサブネットワークに割り当てられ、通信端末のアイデンティティを受信し、第１のサブネットワークを介した通信についてのアイデンティティに基づいて通信端末を識別するように構成された第１の識別エンティティ、第２のサブネットワークに割り当てられ、通信端末のアイデンティティを受信し、第２のサブネットワークを介した通信についてのアイデンティティに基づいて通信端末を識別するように構成された第２の識別エンティティ及び特定のサブネットワークを介した通信についての通信端末を認証するように構成された管理エンティティを有する。
【００２３】
通信線が第２のサブネットワークの第１のサブネットワークを介して通信端末のアイデンティティに応じて構成可能となるため、通信ネットワークのサブネットワーク構造に基づいて、通信の性能が増加可能となる。このように、サービスに依存しない通信が可能となり、すなわち、要求サービスに応じて、要求サービス及び対応のインフラを提供する対応のサブネットワークを介して通信が実行される。特に、より高いデータスループット、より低い遅延、特に高い信頼性、非常に高い接続密度及びより広い範囲の移動性が実現可能となる。通信システムは、増加した性能とともに、大きく異なる環境を含むこともでき、ユーザの容量、信頼、アイデンティティ及びプライバシーを保護することを保証する。
【００２４】
通信システムの一実施形態によると、特定の識別エンティティはアイデンティティを管理エンティティに送信するように構成され、管理エンティティは中継されたアイデンティティに基づいて通信端末を認証するように構成される。
【００２５】
中央管理エンティティは特定の通信端末を認証することができ、対応のサブネットワークをそれに割り当てることができるので、これは効率的な通信の効果を奏する。したがって、管理エンティティにおけるサブネットワークから複雑性を隠すことができる。
【００２６】
通信システムの一実施形態によると、管理エンティティは、通信端末に対する通信ネットワークのサブネットワークの割当てを参照して、特に、通信デバイスのアイデンティティへのサブネットワークの割当てを参照して通信端末を認証するように構成される。
【００２７】
これは、例えば、テーブルまたはメモリアレイの割当てを問い合わせることによって管理エンティティが通信端末を容易に識別することができるという効果を奏する。管理エンティティはこの割当てを動的に適用又は変更することができるので、新たなサービス又はアプリケーションが通信端末において迅速に利用可能となり得る。
【００２８】
通信システムの一実施形態によると、管理エンティティは、第１のサブネットワークが通信端末のアイデンティティに割り当てられる場合には第１のサブネットワークを介した通信について通信端末を認証し、第２のサブネットワークが通信端末のアイデンティティに割り当てられる場合には第２のサブネットワークを介した通信について通信端末を認証するように構成される。
【００２９】
これは、管理エンティティがサブネットワークのレイヤにおける、すなわち、図１における概略によるアプリケーションレイヤの中央インテリジェンスとして機能し、例えば図１の概略による管理及び組織化プレーンに配置される上位ネットワークレイヤへの要求を要することなく、対応のサブネットワークに対する通信端末の認証を迅速に実行することができるという効果を奏する。
【００３０】
通信システムの一実施形態によると、管理エンティティは、通信端末が第２のサブネットワークを介した通信について認証される場合には第２の識別エンティティのサブネットワーク識別子を第１の識別エンティティに中継し、通信端末が第１のサブネットワークを介した通信について認証される場合には第１の識別エンティティのサブネットワーク識別子を第２の識別エンティティに送信するように構成される。
【００３１】
これは、通信端末による第１の識別エンティティとの接触に応じて、後者が通信端末の問合せに対して、それが第２の識別エンティティのサブネットワーク識別子を通信端末に送信することを応答することができ、それは通信ネットワークと接続するのにどのサブネットワークが使用され得るのかを通信端末に示すことができるという効果を奏する。同じことが、第２の識別エンティティとの通信端末の接触についての逆の場合にも当てはまる。したがって、それを介して通信ネットワークに接続しなければならないサブネットワークを通信端末が知る必要なしに再帰的接続設定が可能となる。
【００３２】
通信システムの一実施形態によると、第１の識別エンティティは、管理エンティティによって中継された第２のサブネットワークのサブネットワーク識別子を通信端末又は第２の識別エンティティに中継するように構成され、又は第２の識別エンティティは、管理エンティティから受信された第１のサブネットワークのサブネットワーク識別子を通信端末又は第１の識別エンティティに送信するように構成される。
【００３３】
これは、通信端末による第１の識別エンティティとの接触に応じて、後者は、第２の識別エンティティのサブネットワーク識別子を通信端末又は第２の識別エンティティに送信することによって通信端末の問合せに応答することができるので、接続設定が確立可能となるという効果を奏する。サブネットワーク識別子を第２の識別エンティティに送信する場合には、後者は、通信端末の通信問合せに応答することができる。同じことが、第２の識別エンティティとの通信端末の接触についての逆の場合にも当てはまる。したがって、それを介して通信ネットワークに接続しなければならないサブネットワークを通信端末が知る必要なしに再帰的接続設定が可能となる。
【００３４】
通信システムの一実施形態によると、サブネットワーク識別子は各サブネットワーク（ルックアップテーブル）に割り当てられ、管理エンティティは、サブネットワーク識別子への以下の割当て：通信端末の識別、特にＩＭＳＩ（国際移動体加入者識別番号）若しくはＩＭＥＩ（国際移動体装置識別番号）又はｅＩＤ（組込み識別子）のような通信端末のハードウェア識別子への割当て、及び／又は通信端末に対する通信サービスの割当て、及び／又は通信端末に対するソフトウェアアプリケーションの割当て、及び／又は２つのサブネットワークのうちの１つに対する特定の通信端末のオペレーティングシステム、の少なくとも１つに基づいて通信端末を割り当てるように構成される。
【００３５】
これは、通信サービスのＩＭＳＩ、ＩＭＥＩ、ｅＩＤ、ソフトウェアアプリケーション又はオペレーティングシステムなどの複数の識別子を用いるサブネットワークに通信端末が割り当てられることができ、より高度の柔軟性を提供するという効果を奏する。
【００３６】
サブネットワーク及びサブネットワーク識別子の割当ては、管理エンティティによるルックアップテーブルによって効率的に管理され得る。サブネットワークは様々なアプリケーション又はサービスに割り当てられ得るので、通信端末はそれにさらに依存して複数のサブネットワークを介して通信を行うことができる。サブネットワークは、それらの様々な機能、サービス又はアプリケーションにおいて相互に異なる。
【００３７】
通信システムの一実施形態によると、通信ネットワークは第５世代（５Ｇ）又は更なる世代のネットワークであり、第１のサブネットワーク及び第２のサブネットワークは通信ネットワークのスライスである。
【００３８】
したがって、４Ｇ通信ネットワークが配信できるものを超える、より高いデータスループットのより高い無線周波数、モノのインターネットなどの新たなアプリケーション、及びより短いランタイムなどの特殊な能力のような、図１及び図２による５Ｇネットワーク構造の全ての効果が実現可能となる。通信ネットワークは、高い集中度で全てのネットワークの態様を含むエンドトゥエンドシステムを提供することができる。またさらに、既存のアクセスメカニズム及びそれらの可能な更なる発展型が充分に使用可能となる。
【００３９】
通信システムの一実施形態によると、特定の識別エンティティが通信端末からサブネットワーク識別子を受信し、受信されたサブネットワーク識別子に割り当てられ又は受信されたサブネットワーク識別子（ローミング）によって示されるサブネットワークに対応する通信ネットワークのそのサブネットワークを通信端末に割り当てるように構成される。
【００４０】
これは、例えば、通信システムのオペレータの事前の登録又は事前の設定を介して、それが割り当てられる対応のサブネットワークを介する通信端末に対してサービスが利用可能となるという効果を奏する。またさらに、これは、それによりローミングが特定の識別エンティティによって効率的に実現され得るという効果を奏する。さらに、通信システムが同じ構造の複数の通信ネットワーク、例えば、宅内通信ネットワーク及び外部通信ネットワークを備えることができ、効率的なローミングを可能とするという効果が実現される。
【００４１】
通信システムの一実施形態によると、第１の識別エンティティは、通信端末が第１のサブネットワークを介した通信について認証される場合には第１のサブネットワークを介した通信端末の通信を確立するように構成され、第２の識別エンティティは、通信端末が第２のサブネットワークを介した通信について認証される場合には第２のサブネットワークを介した通信端末の通信を確立するように構成される。
【００４２】
これは、通信端末がそのように認証される場合に、各サブネットワークが独立して通信端末との通信リンクを確立することができるという効果を奏する。
【００４３】
通信システムの一実施形態によると、特定の識別エンティティは、通信について通信端末を認証し、通信ベアラを確立又は修正し、特定のサブネットワークのネットワークアイデンティティに変化がある場合に通信ベアラを追跡し、通信ネットワークの更なる識別エンティティに通信を中継するように構成される。
【００４４】
これは、特定のサブネットワークが相互に結合解除可能となり、特定のサブネットワークを介してシグナリングを実行するのに必要な機能についてのみ特定の識別エンティティを有していればよいという効果を奏する。
【００４５】
通信システムの一実施形態によると、特定の識別エンティティは、通信端末の位置を管理するように構成される。
【００４６】
これは、特定の識別エンティティに問い合わせることによって局地化サービスが実現可能となるという効果を奏する。
【００４７】
通信システムの一実施形態によると、第１の識別エンティティ及び第２の識別エンティティは通信可能に接続される基地局を有し、基地局は、識別を有する通信端末から接続要求を受信し、通信端末を識別する目的で識別を特定の識別エンティティに中継するように構成される。
【００４８】
これは、通信端末が移動可能となり、それらの通信問合せが基地局、例えばサブネットワークの特定の識別エンティティに対するｅＮｏｄｅＢを介して中継可能となるという効果を奏する。通信端末は、それらがどのサブネットワークに割り当てられるかを知る必要はなく、対応のサブネットワークに割り当てられるために基地局を介して接続要求を送信すればよい。
【００４９】
通信システムの一実施形態によると、第１のサブネットワークはデフォルトのサブネットワークであり、基地局は、通信端末の接続要求を受信し、サブネットワークを識別するサブネットワーク識別子を接続要求が有さない場合に接続要求を第１の識別エンティティに転送するように構成される。
【００５０】
これは、通信端末はそれらがどのサブネットワークに割り当てられるかをここでは知る必要がないという効果を奏する。それらは、接続要求をデフォルトのサブネットワークにその後転送する基地局を介したサブネットワーク識別子なしに、接続要求を提出することができる。通信システムは、接続要求を解決し、それに割り当てられるサブネットワークを通信端末に報告し、又は対応のサブネットワークの通信を確立するインテリジェンスを有する。
【００５１】
更なる例示の実施形態を、添付図面を参照して説明する。
【図面の簡単な説明】
【００５２】
【図１】図１は、５Ｇシステムアーキテクチャ１００の概略図である。
【図２】図２は、複数のスライス（スライスネットワーク）２００を有する５Ｇ通信ネットワーク１００の概略図である。
【図３】図３は、例示の実施形態による通信端末３０１及び通信ネットワーク３０３を有する通信システム３００の概略図である。
【図４】図４は、例示の実施形態による複数のサブネットワークを有する通信ネットワークにおける通信のための方法４００の概略図である。
【図５】図５は、例示の実施形態による５Ｇネットワーク５００の例を用いる通信ネットワークにおける通信端末のログオン処理の概略図である。
【発明を実施するための形態】
【００５３】
以下の詳細な説明において、その一部を構成し、発明が実施され得る具体的な実施形態が例示によって示される添付図面が参照される。本発明のコンセプトから逸脱することなく他の実施形態が利用され、構造的又は論理的変更がなされ得ることが理解される。したがって、以下の詳細な説明は、限定的に解釈されるものではない。また、ここに説明する種々の例示の実施形態の構成は、特に断りがない限り、相互に組み合わされてもよいことが理解される。
【００５４】
図面を参照して態様及び実施形態を説明し、ここでは同様の符号は一般的に同様の要素を示す。以下の説明において、説明の目的のため、発明の１以上の態様の完全な理解を与えるのに多数の具体的詳細を説明する。しかし、当業者には、１以上の態様又は実施形態が具体的詳細のより低い程度で実施可能であることは明らかである。他の事例では、１以上の態様又は実施形態を説明することを容易化するために、周知の構造及び要素が模式形態で示される。本発明のコンセプトから逸脱することなく他の実施形態が利用され、構造的又は論理的変更がなされ得ることが理解される。
【００５５】
実施形態の特定の構成又は態様は幾つかの実施例のうちの１つのみに関して開示されているが、そのような構成又はそのような態様は、所与又は特定のアプリケーションについて所望かつ有利となるような他の実施例の１以上の他の構成又は態様と組み合わされてもよい。またさらに、文言「含む」、「有する」、「とともに」又はその変化形は詳細な説明又は特許請求の範囲において使用される範囲で、そのような文言は、文言「備える」と同様に包含的である。文言「結合された」及び「接続された」は、その派生語とともに使用され得る。そのような文言は、２つの要素が、それらが直接若しくは電気的な接触状態にあるか又は相互に直接的に接触していないかにかかわらず、相互に協働又は相互作用することを示すように使用されることが理解される。さらに、文言「例示の」は最良又は最適についての用語としてではなく例示としてのみ解釈されるべきである。したがって、以降の説明は、限定的に解釈されてはならない。
【００５６】
図３に、例示の実施形態による通信端末３０１及び通信ネットワーク３０３を有する通信システム３００の概略図を示す。
【００５７】
通信端末３０１は、メッセージを通信ネットワーク３０３と交換して通信ネットワーク３０３との又はそれを介して通信端末３０１の接続を確立する通信インターフェース３０５を含む。
【００５８】
通信ネットワーク３０３は、第１のサブネットワーク３０７、第２のサブネットワーク３１１及びサブネットワーク３１５が例示的に示される更なるサブネットワークを有する複数のサブネットワーク３０７、３１１、３１５を備える。この複数のサブネットワークは、図１及び図２について上述したように、複数のスライス２１０ｂ、２１１ｂ、２１２ｂに対応する。第１のサブネットワーク３０７には、通信端末３０１が識別され得る第１の識別エンティティ３０９が配置される。第２のサブネットワーク３１１には、通信端末３０１が識別され得る第２の識別エンティティ３１３が配置される。同じことが他のサブネットワークにも当てはまり、すなわち、第ｎのサブネットワーク３１５には、通信端末３０１が識別され得る第ｎの識別エンティティ３１７が配置される。
【００５９】
サブネットワーク識別子３１２、３１４、３１５が、通信ネットワーク３０３の各サブネットワーク３０７、３１１、３１５に割り当てられる。通信ネットワーク３０３は、サブネットワーク３０７、３１１、３１５のうちの１つへの通信端末３０１の割当て３２１を管理する管理エンティティ３１９をさらに備える。
【００６０】
通信端末３０１の通信インターフェース３０５は、第１のサブネットワーク３０７を介して接続設定３０８を開始するために、通信端末３０１の識別３０２を第１のサブネットワーク３０７の第１の識別エンティティ３０９に送信するように設計される。
【００６１】
通信インターフェース３０５はさらに、第１のサブネットワーク３０７を介して、例えば第２のサブネットワーク３１１に割り当てられ、管理エンティティによって管理される割当て３２１、例えば管理エンティティのテーブルにファイルされ得るサブネットワーク識別子３０６を受信するように設計される。
【００６２】
通信インターフェース３０５はさらに、サブネットワーク識別子３０６の受信に応じて、すなわち、第２のサブネットワーク３１１へのサブネットワーク識別子３０６の割当てに応じて、第２のサブネットワーク３１１を介して通信リンク３１０を確立するように設計される。サブネットワーク識別子３０６が他のサブネットワーク、例えば第ｎのサブネットワーク３１５に割り当てられる場合、通信インターフェース３０５は第ｎのサブネットワーク３１５を介して通信リンク３１８を確立する。
【００６３】
第１の識別エンティティ３０９は、第１のサブネットワーク３０７に割り当てられ、通信端末３０１のアイデンティティ３０２を受信し、第１のサブネットワーク３０７を介した通信のためのアイデンティティ３０２に基づいて通信端末３０１を識別するように設計される。
【００６４】
第２の識別エンティティ３１３は、第２のサブネットワーク３１１に割り当てられ、通信端末３０１のアイデンティティ３０２を受信し、第２のサブネットワーク３１１を介した通信のためのアイデンティティ３０２に基づいて通信端末３０１を識別するように設計される。
【００６５】
管理エンティティ３１０は、特定のサブネットワーク３０７、３１１を介した通信について通信端末３０１を認証するように設計される。
【００６６】
特定の識別エンティティ３０９、３１３は、管理エンティティ３１９に対するアイデンティティを中継することができる。管理エンティティ３１９は、中継されたアイデンティティ３０２に基づいて通信端末３０１を認証することができる。
【００６７】
管理エンティティ３１９は、通信端末３０１に対する通信ネットワーク３０３のサブネットワーク３０７、３１１、３１５の割当て３２１を参照して、例えば、通信端末３０１のアイデンティティ３０２に対するサブネットワーク３０７、３１１、３１５の割当て３２１を参照して、通信端末３０１を認証することができる。
【００６８】
管理エンティティ３１９は、第１のサブネットワーク３０７が通信端末３０１のアイデンティティに割り当てられる場合、第１のサブネットワーク３０７を介する通信について通信端末３０１を認証することができる。管理エンティティ３１９は、第２のサブネットワーク３１１が通信端末３０１のアイデンティティ３０２に割り当てられる場合、第２のサブネットワーク３１１を介する通信について通信端末３０１を認証することができる。
【００６９】
管理エンティティ３１９は、通信端末３０１が第２のサブネットワーク３１１を介する通信について認証される場合、第２の識別エンティティ３１３のサブネットワーク識別子３１４を第１の識別エンティティ３０９に中継することができる。管理エンティティ３１９は、通信が第１のサブネットワーク３０７を介する通信について認証される場合、第１の識別エンティティ３０９のサブネットワーク識別子３１２を第２の識別エンティティ３１３に中継することができる。
【００７０】
第１の識別エンティティ３０９は、管理エンティティ３１９から中継された第２のサブネットワーク３１１のサブネットワーク識別子３１４を通信端末３０１又は第２の識別エンティティ３１３に中継することができる。第２の識別エンティティ３１３は、管理エンティティ３１３から中継された第１のサブネットワーク３０７のサブネットワーク識別子３１２を通信端末３０１又は第１の識別エンティティ３０９に中継することができる。
【００７１】
サブネットワーク識別子３１２、３１４は、例えばルックアップテーブルの形式で、各サブネットワーク３０７、３１１に割り当てられる。管理エンティティ３１９は、サブネットワーク識別子３１２、３１４の以下の割当て：通信端末３０１の識別３０２の割当て、例えば、サブネットワーク識別子３１２、３１４に対するＩＭＳＩ若しくはＩＭＥＩ又はｅＩＤなどの通信端末３０１のハードウェア識別子への割当て、及び／又は通信端末３０１に対する通信サービスの割当て、及び／又は通信端末３０１に対するソフトウェアアプリケーションの割当て、及び／又は２つのサブネットワーク３０７、３１１のうちの１つに対する特定の通信端末３０１のオペレーティングシステム、の１以上に基づいて通信端末３０１を割り当てることができる。
【００７２】
通信ネットワーク３０３は、例えばこの説明並びに図１及び図２による第５世代（５Ｇ）又は更なる世代のネットワークであってもよい。第１のサブネットワーク３０７及び第２のサブネットワーク３１１は、通信ネットワーク３０３のスライス、例えば、図１及び図２のようなスライス２１０ｂ、２１１ｂ、２１２ｂ又はアプリケーションレイヤ１０３のスライスインスタンス２１０ａ、２１１ａ、２１２ａとなり得る。
【００７３】
特定の識別エンティティ３０９、３１３は、通信端末３０１からのサブネットワーク識別子３０６を受信し、受信されたサブネットワーク識別子３０６に割り当てられ又は受信されたサブネットワーク識別子３０６に示されるサブネットワークに対応する通信ネットワーク３０３のサブネットワーク３０７、３１１を通信端末３０１に割り当てることができる。したがって、特定の識別エンティティ３０９、３１３は、効率的なローミングを与えることができる。
【００７４】
通信端末３０１が第１のサブネットワーク３０７を介した通信について認証される場合、第１の識別エンティティ３０９は第１のサブネットワーク３０７を介して通信端末３０１の通信を確立することができる。通信端末３０１が第２のサブネットワーク３１１を介した通信について認証される場合、第２の識別エンティティ３１３は第２のサブネットワーク３１１を介して通信端末３０１の通信を確立することができる。
【００７５】
特定の識別エンティティ３０９、３１３は、通信端末３０１を通信のために認証し、通信のための通信ベアラ（通信キャリア、例えば無線チャネル）を確立又は修正し、特定のサブネットワーク３０７、３１１のネットワークエンティティに変化がある場合に通信ベアラを追跡し、又は通信ネットワーク３０３の同じサブネットワーク内の更なる識別エンティティに通信を中継することができる。
【００７６】
特定の識別エンティティ３０９、３１３は、ＬＴＥネットワークトポロジによるＭＭＥの機能をさらに備えることができる。
【００７７】
特定の識別エンティティ３０９、３１３は、通信端末３０１の位置を管理することを意味するものと解釈され得る。
【００７８】
通信システム３００は、第１の識別エンティティ３０９及び第２の識別エンティティ３１３が通信可能に接続され得る基地局、例えば、ｅＮｏｄｅＢを有し得る。基地局は、通信端末３０１の識別３０２を有する通信システム３０１からの接続要求を受信し、通信システム３０１の識別の目的で識別３０２を特定の識別エンティティ３０９、３１３に中継することができる。
【００７９】
第１のサブネットワーク３０７は、デフォルトのサブネットワークとなり得る。基地局は、通信システム３０１の接続要求を受信し、サブネットワーク３０７、３１１を識別するサブネットワーク識別子３０６を接続要求が有さない場合にそれを第１の識別エンティティ３０９に中継することができる。
【００８０】
以下に、通信ネットワーク３０３を介して通信システム３００において発生し得る通信の例示的確立を説明する。
【００８１】
第１のサブネットワーク３０７の第１の識別エンティティ３０９は、例えば、デフォルトの識別エンティティを有するデフォルトのサブネットワークとして通信システム３０１に割り当てられており、通信システム３０１の識別３０２を受信する。この識別３０２は、通信システム３０１を識別する。この識別３０２に基づいて、第１の識別エンティティ３０９は、通信端末３０１を識別する。ここでの第１の識別エンティティ３０９のタスクは、ＬＴＥネットワークにおけるＭＭＥ（モビリティ管理エンティティ）のものに対応し、又はそれらを含み得る。識別は、通信端末３０１、例えばそこにリンクされたＵＥのＩＭＳＩ又は一時的識別構成を用いて行われる。
【００８２】
その後、管理エンティティ３１９から、サブネットワーク識別子３０６の割当て３２１に基づいて、サブネットワークが通信端末３０１に割り当てられる。
【００８３】
通信端末３０１の識別３０２に割り当てられるサブネットワーク識別子３０６が第１のサブネットワーク３０７のサブネットワーク識別３１２に対応する場合、第１のサブネットワーク３０７を介した通信端末３０１の通信接続３０８の確立が続く。代替として、中継された識別３０２に割り当てられたサブネットワーク識別子３０６及び第１のサブネットワーク３０７のサブネットワーク識別子３１２が異なる場合又は中継された識別３０２に割り当てられたサブネットワーク識別子３０６が第２のサブネットワーク３１１又は第ｎのサブネットワーク３１５のサブネットワーク識別子３１２に一致する場合、第２のサブネットワーク３１１又は他の何らかのサブネットワークを介した通信システム３０１の通信接続３１０、例えば、第ｎサブネットワーク３１５を介した通信接続３１８の確立が続く。
【００８４】
管理エンティティ３１９のタスクは、ここではＬＴＥ（ロングタームエボリューション）ネットワークにおけるＨＳＳ（ホームサブスクライバサーバ）のものに対応し、又はそれらを含むことができ、すなわち、以下の手順が、接続の確立のために通信ネットワーク３０３において行われ得る。
【００８５】
まず、管理エンティティ３１９は、認証のために、続いて、暗号化及びメッセージ整合性の保護などの安全関連の手順のために要求されるパラメータを提供する。これらは、ランダム値ＲＡＮＤ、キーＫＡＳＭＥ、認証照合ＸＲＥＳの期待される結果、及び認証トークンＡＵＴＮとなり得る。これら４個のパラメータは、いわゆる認証ベクトルとして管理エンティティ３１９によってそれぞれのサブネットワークに送信され得る。
【００８６】
ＲＡＮＤ及びＡＵＴＮは、第１の識別エンティティ３０９によって、例えば、第１の通信ノード（不図示）、例えばｅＮｏｄｅＢ（基地局）を介して通信端末３０１、例えばＵＥ（ユーザ機器）に送信され得る。第１の通信ノードは、第１の識別エンティティ３０９との通信システム３０１の通信を可能とするために、通信システム３０１と第１のサブネットワーク３０７の間に配置され得る。また、更なるサブネットワーク３１１、３１５との通信システム３０１の通信を可能とするために、第１の通信ノードは、更なるサブネットワーク３１１、３１５に接続され得る。第１の通信ノードは、例えば、ＲＡＴ（無線アクセス技術）、例えばＷＬＡＮ、ＷｉＦｉ、モバイル無線エアインターフェースなどを介して到達可能となる。
【００８７】
ＵＩＣＣにおいて記憶される秘密鍵から、通信端末３０１は、ＡＵＴＮを用いて通信ネットワーク３０３の認証性をテストするＫＡＳＭＥなどの幾つかのパラメータを同様に導出し、特定のアルゴリズムを用いてＲＡＮＤ及びＫＡＳＭＥからからＲＥＳの値を算出することができる。そして、この値は、例えば第１の通信ノードを介して、第１の識別エンティティ３０９に送信され得る。ＲＥＳとＸＲＥＳとが同じである場合、第１の識別エンティティ３０９は、通信システム３０１の認証が肯定的に結論付けられたことを通知するようにメッセージを管理エンティティ３１９に送信する。そして、管理エンティティは、許可された接続（ＱｏＳプロファイルを有するＰＤＳ加入者コンテキスト）でこの通信システム３０１に対するリストを第１の識別エンティティ３０９に送信することができる。
【００８８】
そして、第１の識別エンティティ３０９は、通信システム３０１から、例えば、サービングゲートウェイ（Ｓ−ＧＷ）を介して、パケットデータネットワークゲートウェイ（ＰＤＮ−ＧＷ）へのデフォルトのキャリア（例えば、ＩＰ接続）を確立し、通信システム３０１にログイン処理の成功を通知することができる。
【００８９】
ここで、通信システム３０１は、通信ネットワーク３０３を介して通信を行うことができる。また、更なるキャリアについてのＰＤＮ−ＧＷ若しくは通信システム３０１からの接続要求又は既存のキャリアの修正が、管理エンティティ３１９によって受信されたデータに基づいて第１の識別エンティティ３０９によって認証され得る。
【００９０】
通信接続３１０は、中継された識別３０２に割り当てられたサブネットワーク識別子３０６が第２のサブネットワーク３１１のサブネットワーク識別子３１４である場合、第２のサブネットワーク３１１を介して確立され得る。
【００９１】
代替として、通信接続３１０は、中継された識別３０２に割り当てられたサブネットワーク識別子３０６が第ｎのサブネットワーク３１５のサブネットワーク識別子３１６である場合、第ｎのサブネットワーク３１５を介して確立され得る。
【００９２】
通信ネットワーク３０３は第５世代（５Ｇ）又は更なる世代のネットワークであればよく、サブネットワーク３０７、３１１及び３１５は図１及び図２において上述したような通信ネットワーク３０３のスライスとなり得る。
【００９３】
管理エンティティ３１９は、以下の割当て：通信端末３０１の識別３０２の割当て、例えば、サブネットワーク識別子３０６に対するＩＭＳＩ若しくはＩＭＥＩ又はｅＩＤなどの通信端末３０１のハードウェア識別子、及び／又は通信端末３０１に対する通信サービスの割当て、及び／又は通信端末３０１に対するソフトウェアアプリケーションの割当て、及び／又は２つのサブネットワーク３０７、３１１のうちの１つに対する特定の通信端末３０１のオペレーティングシステム、の１以上に基づいて、通信システム３０１へのサブネットワーク識別子３０６の割当て３２１を有効化することができる。
【００９４】
サブネットワークは様々なアプリケーション又はサービスに割り当て可能となるので、通信端末３０１はそれにさらに依存して複数のサブネットワーク３０７、３１１、３１５を介して通信を行うことができる。サブネットワークは、それらの様々な機能、サービス又はアプリケーションにおいて相互に異なる。
【００９５】
サブネットワーク識別への通信端末３０１の割当てとは別に、管理エンティティ３１９は、例えば、管理エンティティ３１９のテーブル又はストレージに記憶され得るサブネットワーク３０７、３１１、３１５へのサブネットワーク識別子３１２、３１４、３１６の割当ても含み得る。
【００９６】
通信端末３０１は、通信端末３０１に割り当てられたサブネットワーク３０７、３１１、３１５を示すサブネットワーク識別子３０６とともに、第１の識別エンティティ３０９又は第２の識別エンティティ３１３への通信端末３０１の識別３０２を第１の識別エンティティ３０９又は他の識別エンティティ３１３、３１７に中継することができる。
【００９７】
通信端末３０１に対するサブネットワークの割当て中に、管理エンティティ３１９は、通信端末３０１の識別３０２に割り当てられたサブネットワーク識別子３０６を第１の識別エンティティ３０９に中継することができる。通信端末３０１の識別３０２に割り当てられたサブネットワーク識別子３０６と第１のサブネットワーク３０７のサブネットワーク識別子３１２とが異なる場合、第１の識別エンティティ３０９は中継されたサブネットワーク識別子３０６を通信端末３０１に中継することができる。通信端末３０１の識別３０２に割り当てられたサブネットワーク識別子３０６と第１のサブネットワーク３０７のサブネットワーク識別子３１２とが異なる場合、第１の識別エンティティ３０９は中継されたサブネットワーク識別子３０６を第２の識別エンティティ３１３に中継することができる。
【００９８】
第２のサブネットワーク３１１を介した通信接続３１０の確立中に、通信端末３０１は、識別３０２を第２の識別エンティティ３１３に中継することができる。
【００９９】
第２のサブネットワーク３１１を介した通信接続３１０の確立中に、第２の識別エンティティ３１３は、通信端末３０１の識別３０２に基づいて通信端末３０１を識別することができる。通信端末３０１の識別後に、以下のステップ：通信端末３０１に対するサブネットワーク識別子の割当て３２１に基づく、管理エンティティ３１９による通信端末３０１へのサブネットワーク３０７、３１１、３１５の割当て、及び通信端末３０１の識別子３０２に割り当てられたサブネットワーク識別子３０６が通信ネットワーク３０３のサブネットワーク識別子３１５に一致する場合に第２のサブネットワーク３１１を介した通信端末の通信接続３１０の確立が実行可能となり、通信端末の識別子３０２に割り当てられたサブネットワーク識別子３０６と第２のサブネットワーク３１１のサブネットワーク識別子３１４とが異なる場合には通信端末３０１の拒否が行われ得る。
【０１００】
接続確立は、ここでは再帰的であってもよい。すなわち、まず、第１のサブネットワーク３０７を介した通信を確立する試行が行われる。通信端末３０１の一致しないサブネットワーク識別子３０６に基づいて可能でない場合、試行は第２のサブネットワーク３１１を介して通信を確立するように行われる。通信端末の一致しないサブネットワーク識別子３０６に起因してこれが可能でない場合には、更なる、例えば第ｎのサブネットワーク３１５を介した通信を確立する試行が行われる。通信端末３０１の一致しないサブネットワーク識別子３０６に起因して最後の試行が可能でない場合には、通信の確立が拒否される。あるいは、通信は、より早く、例えば、第１、第２、第３の試行失敗後に拒否されてもよい。
【０１０１】
特定の通信接続３０８、３１０、３１８の確立中に、通信端末３０１は、中継された識別３０２に割り当てられたサブネットワーク識別子３０６を第１の識別エンティティ３０９又は第２の識別エンティティ３１３に中継することができる。
【０１０２】
中継されたサブネットワーク識別子３０６が異なる通信ネットワークのサブネットワーク、例えば外部ネットワークを示す場合、特定の識別エンティティ３０９、３１３又は管理エンティティ３１９は、中継されたサブネットワーク識別子３０６に基づいて、通信ネットワーク３０３のサブネットワーク３０７、３１１、３１５を通信端末３０１に割り当てることができる。ここで、特定の識別エンティティ３０９、３１３又は管理エンティティ３１９は、他の通信ネットワークのサブネットワークに対応する通信端末３０１に通信ネットワーク３０３のサブネットワーク３０７、３１１、３１５を割り当てることができる。異なる通信ネットワークにおけるサブネットワークは、異なる識別子を有し得る。他のネットワークにおける関連のサブネットワーク、すなわち、例えば、同じサービスを提供する他のネットワークにおけるサブネットワークに対応する通信端末３０１への通信ネットワーク３０３におけるサブネットワークの対応する割当てがある場合、外部ネットワークにおけるローミングが促進され得る。この割当ては、例えば特定の識別エンティティ３０９、３１３又は管理エンティティ３１９にファイル又は記憶され得るルックアップテーブルによって有効化され得る。
【０１０３】
サブネットワーク３０７を介した通信接続３０８は第１の識別エンティティ３０９によって確立可能となり、通信接続３１０は第２の識別エンティティ３１３によって第２のサブネットワーク３１１を介して確立可能となる。第ｎのサブネットワーク３１５を介した通信接続３１８は、第ｎの識別エンティティ３１７によって確立可能となる。代替として、これらの通信接続３０８、３１０、３１８は、通信端末３０１を用いても確立可能となる。
【０１０４】
図４に、例示の実施形態による複数のサブネットワークを有する通信ネットワークにおける通信のための方法４００の概略図を示す。
【０１０５】
通信ネットワークは、図３に記載する通信ネットワーク３０３に対応し得る。すなわち、通信ネットワーク３０３は、第１のサブネットワーク３０７及び第２のサブネットワーク３１１とともに複数のサブネットワーク３０７、３１１、３１５を備える。第１のサブネットワーク３０７には、通信端末３０１を識別するために第１の識別エンティティ３０９が配置され、第２のサブネットワーク３１１には、通信端末３０１を識別するために第２の識別エンティティ３１３が配置される。サブネットワーク識別子が、通信ネットワーク３０３の各サブネットワーク３０７、３１１、３１５に割り当てられる。管理エンティティ３１９は、通信ネットワーク３０３に配置され、２つのサブネットワーク３０７、３１１のうちの１つへの通信端末３０１の割当て３２１を管理する。
【０１０６】
方法４００は、第１のサブネットワーク３０７に割り当てられる第１の識別エンティティ３０９による通信端末３０１の識別３０２の受領４０１、及び第１のサブネットワーク３０７を介した通信のためのアイデンティティ３０２に基づく通信端末３０１の識別を備える。
【０１０７】
方法４００は、第２のサブネットワーク３１１に割り当てられる第２の識別エンティティ３１３による通信端末３０１の識別３０２の受領４０１、及び第２のサブネットワーク３１１を介した通信のためのアイデンティティ３０２に基づく通信端末３０１の識別をさらに備える。
【０１０８】
方法４００は、管理エンティティ３１９による特定のサブネットワーク３０７、３１１を介した通信のための通信端末３０１の認証をさらに備える。
【０１０９】
方法４００は、以下の：特定の識別エンティティ３０９、３１３による管理エンティティ３１９へのアイデンティティ３０２の中継、及び管理エンティティ３１９による中継されたアイデンティティ３０２に基づく通信端末３０１の認証をさらに備え得る。
【０１１０】
方法は、以下の：管理エンティティ３１９による通信端末３０１への通信端末３０３のサブネットワーク３０７、３１１、３１５の割当て３２１を用いる、特に通信端末３０１のアイデンティティ３０２へのサブネットワーク３０７、３１１、３１５の割当て３２１を用いる通信端末３０１の認証をさらに備え得る。
【０１１１】
方法４００は、以下の：第１のサブネットワーク３０７が通信端末３０１のアイデンティティに割り当てられる場合の、管理エンティティ３１９による第１のサブネットワーク３０７を介した通信についての通信端末３０１の認証、又は第２のサブネットワーク３１１が通信端末３０１のアイデンティティ３０２に割り当てられる場合の、管理エンティティ３１９による第２のサブネットワーク３１１を介した通信についての通信端末３０１の認証をさらに備え得る。
【０１１２】
方法４００は：第２のサブネットワーク３１１を介した通信について通信端末３０１が認証された場合の、管理エンティティ３１９による第１の識別エンティティ３０９への第２の識別エンティティ３１３のサブネットワーク識別子３１４の中継、又は通信端末３０１が第１のサブネットワーク３０７を介した通信について認証された場合の、管理エンティティ３１９による第２の識別エンティティ３１３への第１の識別エンティティ３０９のサブネットワーク識別子３１２の中継をさらに備え得る。
【０１１３】
方法４００は：第１の識別エンティティ３０９によって管理エンティティ３１９によって通信端末３０１又は第２の識別エンティティ３１３に中継された第２のサブネットワーク３１１のサブネットワーク識別子３１４の中継、又は第２の識別エンティティ３１３によって管理エンティティ３１９によって通信端末３０１又は第１の識別エンティティ３０９に中継された第１のサブネットワーク３０７のサブネットワーク識別子３１２の中継をさらに備え得る。
【０１１４】
方法４００は、以下の：管理エンティティ３１９によるサブネットワーク識別子３１２、３１４の以下の割当て：通信端末３０１の識別３０２の割当て、特に、サブネットワーク識別子３１２、３１４に対するＩＭＳＩ若しくはＩＭＥＩ又はｅＩＤなどの通信端末３０１のハードウェア識別子への割当て、及び／又は通信端末３０１に対する通信サービスの割当て、及び／又は通信端末３０１に対するソフトウェアアプリケーションの割当て、及び／又は２つのサブネットワーク３０７、３１１のうちの１つに対する特定の通信端末３０１のオペレーティングシステム、のうちの少なくとも１つに基づく通信端末３０１の割当てをさらに備え得る。
【０１１５】
通信ネットワーク３０３は、図１及び図２において上述したような第５世代（５Ｇ）又は更なる世代のネットワークであればよい。第１のサブネットワーク３０７及び第２のサブネットワーク３１１は、図２及び図３において上述したような通信ネットワーク３０３のスライスとなり得る。
【０１１６】
方法４００は、以下の：特定の識別エンティティ３０９、３１３による通信端末３０１からのサブネットワーク識別子３０６の受領、及び受信されたサブネットワーク識別子３０６に割り当てられ又は受信されたサブネットワーク識別子３０６によって示されるサブネットワークに対応する通信端末３０１へのサブネットワークの割当てをさらに備え得る。したがって、ローミングが効率的に可能となる。
【０１１７】
方法４００は、以下の：通信端末３０１が第１のサブネットワーク３０７を介した通信について認証される場合の、第１の識別エンティティ３０９による第１のサブネットワーク３０７を介した通信端末３０１の通信の確立、及び通信端末３０１が第２のサブネットワーク３１１を介した通信について認証される場合の、第２の識別エンティティ３１３による第２のサブネットワーク３１１を介した通信端末３０１の通信の確立をさらに備え得る。
【０１１８】
方法４００は、以下の：特定の識別エンティティ３０９、３１１による通信についての通信端末３０１の認証、通信のための通信ベアラの確立又は修正、特定のサブネットワーク３０７、３１１のネットワークエンティティの変化がある場合の通信ベアラの追跡、及び通信ネットワークの同じサブネットワークの異なる識別エンティティへの通信の転送をさらに備え得る。
【０１１９】
方法４００は、以下の：特定の識別エンティティ３０９、３１３による通信端末３０１の位置の管理をさらに備え得る。
【０１２０】
方法４００は、以下の：基地局による通信端末３０１からの識別３０２を有する接続要求の受領及び通信端末３０１を識別する特定の識別エンティティ３０９、３１３への識別３０２の中継をさらに備えてもよく、図３において上述したように、第１の識別エンティティ３０９及び第２の識別エンティティが第１の通信ノードに通信可能に接続される。
【０１２１】
方法４００は、以下の：基地局による通信端末の接続要求の受領、及びサブネットワーク３０７、３１１を識別するサブネットワーク識別子３０６を接続要求が含まない場合の第１の識別エンティティ３０９への接続要求の転送をさらに備えてもよく、第１のサブネットワーク３０７はデフォルトのサブネットワークである。
【０１２２】
図５に、例示の実施形態による５Ｇネットワーク５００の例における通信ネットワークにおける通信端末のログイン処理の概略図を示す。５Ｇネットワーク５００は、ＵＥ５１１、第１のネットエンティティ又はネットワークエンティティ、各々に第２のネットエンティティが割り当てられる複数のスライス５０１、５０２、５０３、５０４及び第３のネットエンティティ５１３を備える。ＵＥ（ユーザ機器）は、図３及び図４において上述した通信端末３０１の例である。第１のネットエンティティ５１２は、図３において上述した第１の通信ノードに対応し得る。これは、例えば、ｅＮｏｄｅＢ又は基地局であればよい。スライス５０１、５０２、５０３、５０４は、図３及び図４において上述したサブネットワーク３０７、３１１、３１５又は図２において上述したネットワークスライス２１０ｂ、２１１ｂ、２１２ｂ若しくはこれらのネットワークスライスのインスタンス２１０ａ、２１１ａ、２１２ａに対応し得る。スライス５０２、５０３、５０４のいずれか他のものが、当然にデフォルトのスライスとして指定され得る。第３のネットエンティティ５１３は、図３及び図４において上述したネットワークエンティティ３１９に対応し得る。それは、例えば、図１において上述した管理及び組織化プレーンに配置され得る。第３のネットエンティティ５１３はまた、特にＬＴＥ技術用語によるＨＳＳのタスクを実行し得る。
【０１２３】
一実施形態において、５Ｇネットワーク５００の構造は、ＬＴＥネットワークの構造に類似する。もちろん、ホームネットワークはサーバサブネット５０１、５０２、５０３、５０４を有し、これらをスライスという。したがって、ＵＥは、（ＨＳＳに相当する第３のネットエンティティ５１３を介して）ホームネットだけでなく特定のスライスにも割り当てられる。第２のネットエンティティは、ＬＴＥ技術用語に従ってＭＭＥと同様にして同時にデフォルトのスライス５０１の部分となり得るものであり、これは正確な機能による。そして、サブネット５０１、５０２、５０３、５０４は、ここで図５に示すように、ＬＴＥに従ってＨＳＳと同様にして第３のネットエンティティ５１３への接続を各々有し得る。
【０１２４】
以下に、５Ｇネットワーク５００の例示的なログイン処理を説明する。
【０１２５】
ＵＥ５１１は、デフォルトのスライス５０１の第２のネットエンティティに第１のネットエンティティ５１２を介して接続する。デフォルトのスライス５０１の第２のネットエンティティは、ＩＭＳＩ又はそれに接続される一時的識別構成の１つを用いてＵＥ５１１を識別し、ネットにログインするＵＥ５１１の要求を第３のネットエンティティ５１３に向ける。
【０１２６】
まず、第３のネットエンティティ５１３が、認証のために、続いて暗号化及びメッセージの整合性の保護などのセキュリティ関連処理のために必要なパラメータを提供する。これらは、ランダム値ＲＡＮＤ、キーＫＡＳＭＥ、認証照合ＸＲＥＳの期待される結果、及び認証トークンＡＵＴＮである。これら４個のパラメータは、いわゆる認証ベクトルとして第３のネットエンティティ５１３からデフォルトのスライス５０１の第２のネットエンティティに送信される。ＲＡＮＤ及びＡＵＴＮは、デフォルトのスライス５０１の第２のネットエンティティによって第１のネットエンティティ５１２を介してＵＥ５１１に送信される。ＵＥ５１１は、ＵＩＣＣに記憶される秘密鍵から、ＡＵＴＮを用いてネットの認証性をテストするＫＡＳＭＥなどの多数のパラメータを同様に導出し、特定のアルゴリズムを用いてＲＡＮＤ及びＫＡＳＭＥからからＲＥＳの値を算出することができる。この値は、第１のネットエンティティ５１２を介して、デフォルトのスライス５０１の第２のネットエンティティに送信される。ＲＥＳとＸＲＥＳとが同じである場合、デフォルトのスライス５０１の第２のネットエンティティは、ＵＥ５１１の認証が肯定的に結論付けられたことを通知するメッセージを第３のネットエンティティ５１２に送信する。そして、第３のネットエンティティ５１３は、このＵＥ５１１に対して許可された接続のリスト、例えば、ＰＤＮ（パケットデータネットワーク）、ＱｏＳ（サービス品質）プロファイルを有する加入コンテキストをデフォルトのスライス５０１の第２のネットエンティティに送信する。
【０１２７】
そして、デフォルトのスライス５０１の第２のネットエンティティは、ＵＥ５１１から、例えばＳ−ＧＷを介して、例えばＰＤＮ−ＧＷへのデフォルトのベアラ又はキャリア（例えば、ＩＰ接続）を確立し、ＵＥ５１１にログイン処理の成功を通知する。ここで、ＵＥ５１１は、通信ネットワークを介して通信を行うことができる。また、更なるベアラについてのＰＤＮ−ＧＷ若しくはＵＥ５１１からの接続要求又は既存のベアラの修正が、第３のネットエンティティ５１３によって受信されたデータに基づいてデフォルトのスライス５０１の第２のネットエンティティによって認証され得る。
【０１２８】
全てのサブネット（スライス）５０１、５０２、５０３、５０４は、サブネット構造（すなわち、何の機能が存在し、何のネットトポロジが規定されるか）に関して及び機能に関しての双方で予め定義される。
【０１２９】
ネットエンティティＩＩ（デフォルトのスライス５０１上）及びネットエンティティＩＩＩ５１３は、コントロールプレーンに割り当てられる。ネットエンティティ５１２は、コントロールプレーン及びユーザプレーンの両方に割り当てられ、例えば、ネットエンティティＩ５１２及びネットエンティティＩＩ（デフォルトのスライス５０１上）の間のシグナリングはコントロールプレーン（ＣＰ）で起こり得る一方で、ユーザデータはユーザプレーン（ＵＰ）上でネットエンティティＩ５１２とＳ−ＧＷ及びＰＤＮ−ＧＷとの間を通ることができる。サブネット５０１、５０２、５０３、５０４は、ネットエンティティＩＩＩ５１３において論理的に稼働する。ネットエンティティＩＩについては、幾つかの可能性がある。機能範囲がＬＴＥ技術用語によってＭＭＥに類似する場合には、図５に示すように、ネットエンティティＩＩはデフォルトのスライス５０１の一部となる。各場合において、以下の２段処理がある。
ａ）ＵＥ５１１がログインを試行し、上述したようにネットエンティティＩＩ及びＩＩＩ５１３によって完全に認証され、異なるスライスに割り当てられるか又はデフォルトのスライス５０１に残される。このデフォルトのスライス５０１は、一実施形態では標準マルチメディアブロードバンドネットとなり得る。
ｂ）ＵＥ５１１が異なるスライスに割り当てられる場合、ネットエンティティＩ５１２は示されるスライスの（及びそこにおけるネットエンティティＩＩの）方向でログイン処理を繰り返し、成功した場合にはＵＥ５１１はデフォルトのスライス５０１からログアウトする。
【０１３０】
処理の観点では、これは、例えば、ＬＴＥ技術用語によるトラッキングエリアアップデートに対応し、したがってＵＥ５１１がＭＭＥ／Ｓ−ＧＷの領域から他のＭＭＥ／Ｓ−ＧＷに入る場合に実行される方法に対応し得るが、これに対して、ネットエンティティＩ５１２（ネットのｅＮｏｄｅＢはＭＭＥにのみ接続される）はサブネット識別子に基づいて異なるネットエンティティＩＩを選択し得る。
【０１３１】
一実施形態では、これは、ＵＥ５１１の認証において、ａ）若しくはｂ）又はａ）及びｂ）に帰着し得る。これは、上記トラッキングエリアアップデートと概ね同様に構成され得る。
【０１３２】
一実施形態では、ネットエンティティＩＩは、ネットエンティティＩＩＩ５１３でスライスを定義するのに必要な機能のみを処理する。そして、これはデフォルトのスライスの一部ではなく、常にステップｂ）となる。
【０１３３】
ネットエンティティＩＩＩ５１３は、例えばＩＭＳＩを用いてＵＥ５１１を識別し、ＵＥ５１１を適切なスライス、例えばサブネットＩ５０１に割り当てる。スライスの割当ては、ネットエンティティＩＩＩに記憶されたデータに基づいて、及びＵＥ５１１のログイン中にネットエンティティＩＩに転送されるパラメータを選択的に含んで進む。これらは、ハードウェア識別（例えば、ＩＭＥＩ）、オペレーティングシステム情報又はアプリケーションＩＤとなり得る。
【０１３４】
代替変形例において、ＵＥ５１１は、第２のステップｂ）において対応のサブネットの識別子を搬送する。これは、ネットエンティティＩＩＩからネットエンティティＩＩを介して第１のステップａ）において得られる識別子である。そして、ステップｂ）において、ＵＥ５１１は、割当てスライスの方向においてログイン処理を繰り返す。すなわち、この代替例では、ＵＥ５１１におけるスライスは、ネットエンティティＩ５１１においてではなく、ともに稼働する。
【０１３５】
この代替変形例において、ＵＥ５１１は、それ自体のＩＤ（例えば、ＩＭＳＩ）ではなく、接続が確立される度にスライスＩＤとともにそれ自体のＩＤを与えることができる。このように、正しいネットエンティティＩＩが常に選択されることができ、ネットエンティティＩ５１２はＵＥ５１１のステータスを記憶する必要はなく、ＵＥ５１１は幾つかのスライスの一部ともなり得る。これはまた、ネットエンティティＩ５１２の変化とともに手順を簡素化する。
【０１３６】
更なる代替変形例では、ＵＥ５１１は、開始からのサブネットの識別子を供給する。サブネットは、例えばＳ−ＧＷ（アナログ）、ＰＤＮ−ＧＷ（アナログ）などを含み得る。これらのネットエンティティは、パラメータ化される。これは、例えば、新たなベアラが確立される場合に、必要に応じてネットエンティティＩＩを介して行われる。
【０１３７】
スライスの割当て及びそこへのログイン後に、ログインのための第１の接点として作用してきたネットエンティティＩＩは、もはや信号フローに含まれない（ＵＥ５１１がデフォルトのスライス５０１に残り、ネットエンティティＩＩがデフォルトのスライス５０１の一部であることを除く）。
【０１３８】
パラメータ化の後に、ＵＥ５１１は、例えばインターネットにおいてサブネットＩ５０１を介して通信することができ、又はＩＭＳに登録して電気通信サービス（例えば、電話）を使用することができる。
【０１３９】
サブネットＩ〜ｎ５０１、５０２、５０３、５０４は、相互に結合解除される。
【０１４０】
上記のコンセプトは、外部ネットへのログインにも同様に当てはまる。ここでも同様に、ネットエンティティＩＩＩは、サブネット及びパラメータの選択を引き継ぐ。外部ネットワークにおいて、訪問先ネットにおけるネットエンティティＩＩは、（例えば、ルックアップテーブルを介して）ホームネットワークに対応する外部ネットの予め規定されたサブネットを選択することになる。
【０１４１】
発明の一態様はまた、デジタルコンピュータの内部ストレージに直接読み込まれ得るコンピュータプログラム製品を備え、その製品がコンピュータで稼働する場合に図４において説明した方法４００又は図３及び図５において説明した処理が実行され得るソフトウェアコードセグメントを備える。コンピュータプログラム製品は、コンピュータ用に適した非一時的媒体、及びコンピュータに方法４００を実行させ又は図１〜５において説明した通信ネットのネット構成要素を実行若しくは制御させるコンピュータ可読プログラム手段においてコンピュータに記憶され得る。
【０１４２】
コンピュータは、ＰＣ、例えば、コンピュータネットワークのＰＣとなり得る。コンピュータは、チップ、ＡＳＩＣ、マイクロプロセッサ又は信号プロセッサとして実施可能であり、コンピュータネットワークに、例えば図１〜５において説明したような通信ネットワークに配置され得る。
【０１４３】
ここに例として記載した種々の実施形態の構成は、特に断りがない限り、相互に組み合わされてもよいことが理解されるはずである。説明及び図面に示すように、接続されているものとして説明された個々の要素は、必ずしも相互に直接接続されていなくてもよく、接続された要素間に介在要素が設けられてもよい。またさらに、発明の実施形態は個々の回路、部分的に集積された回路若しくは完全に集積された回路又はプログラミング手段において実施されてもよいことは明らかである。用語「例示の」は単に例示を意味し、最良又は最適を意味するものではない。特定の実施形態が説明及び記載されたが、本発明のコンセプトから逸脱することなく、図示及び説明した実施形態の代わりに様々な代替及び／又は均等の実施例が実現され得ることは、当業者には明らかである。
【符号の説明】
【０１４４】
１００：５Ｇシステムアーキテクチャ
１０１：アクセスデバイス、通信端末ＵＥ
１０２：アクセス技術
１０３：アプリケーションレイヤ
１０４：活性化レイヤ
１０５：インフラリソースレイヤ
１０６：管理及び組織化レイヤ
２００：幾つかのスライスを有する５Ｇ通信ネットワーク
２１０ａ：第１のスライスインスタンス
２１０ｂ：第１のネットワークスライス
２１１ａ：第２のスライスインスタンス
２１１ｂ：第２のネットワークスライス
２１２ａ：第３のスライスインスタンス
２１２ｂ：第３のネットワークスライス
２１３：スライス組成
２２１：抽象化オブジェクト
２２２：仮想ネットワーク構成
２２３：合成オブジェクト
２２４：統合オブジェクト
２２５：オブジェクトライブラリ
２３１：アクセスノード
２３２：アクセスノード
２３３：アクセスノード
２３４：仮想ネットワークノード
２３５：仮想ネットワークノード
２３６：仮想ネットワークノード
２３７：仮想ネットワークノード
２３８：コンピュータノード
２３９：コンピュータノード
２４０：コンピュータノード
２５１：インフラサービス
３００：通信システム
３０１：通信端末、例えば、ＵＥ
３０２：通信端末の識別
３０３：通信ネットワーク
３０４：第１のサブネットワークと管理エンティティの間の接続
３０５：通信インターフェース
３０６：通信端末のサブネットワーク識別子
３０７：第１のサブネットワーク
３０８：第１のサブネットワークを介した接続を確立する
３０９：第１の識別エンティティ
３１０：第２のサブネットワークを介した接続を確立する
３１１：第２のサブネットワーク
３１２：第１のサブネットワーク識別子
３１３：第２の識別エンティティ
３１４：第２のサブネットワーク識別子
３１５：第ｎのサブネットワーク
３１６：第ｎのサブネットワーク識別子
３１７：第ｎの識別エンティティ
３１８：第ｎのサブネットワークを介した接続の確立
３１９：管理エンティティ
３２１：サブネットワーク識別子への通信端末の割当て
４００：通信接続を確立するための方法
４０１：第１のステップ：第１のサブネットワークを介した受領
４０２：第２のステップ：第２のサブネットワークを介した受領
４０３：第３のステップ：認証
５００：５Ｇ通信ネットワーク
５０１：ネットエンティティＩＩ又は第２のネットエンティティでのデフォルトのスライス
５０２：スライス２
５０３：スライス３
５０４：スライスｎ
５１１：ＵＥ又は通信端末
５１２：第１のネットエンティティ又はネットエンティティＩ
５１３：第３のネットエンティティ又はネットエンティティＩＩＩ
【図１】
2019506053.tif 000003
【図２】
2019506053.tif 000004
【図３】
2019506053.tif 000005
【図４】
2019506053.tif 000006
【図５】
2019506053.tif 000007
【国際調査報告】
2019506053.tif 000008
2019506053.tif 000009
2019506053.tif 000010
2019506053.tif 000011
2019506053.tif 000012
2019506053.tif 000013